(57)【要約】      （修正有）【課題】グラビア印刷において、グラビア印刷版両端のＲ部で揺動するドクター刃の摩耗や損傷を少なくするグラビア印刷版並びにグラビア印刷版の製造方法で、グラビア印刷物の品質向上、ドクター刃の耐久性を高め、グラビア印刷の生産性向上を図る。【解決手段】グラビア印刷版両端のＲ部で揺動するドクター刃の摩耗や損傷を少なくするために、ドクター刃が接触するグラビア印刷版両端のＲ部の表面状態を、版面の平滑な表面状態にしたグラビア印刷版及びグラビア印刷版の製造方法及びグラビア印刷方法。【選択図】図５
2018126931.tif 000002
【特許請求の範囲】
【請求項１】
グラビア印刷に供するグラビア印刷版であって、該グラビア印刷版の版面に塗布されたインキを掻き落とすドクター刃が接する前記版面のエッジからその側面に伸びるＲ部の一部領域が前記版面の表面における平滑状態と同等に仕上げられているグラビア印刷版。
【請求項２】
グラビア印刷に供するグラビア印刷版において、該グラビア印刷版の版面に塗布されたインキを掻き落とすドクター刃が接する前記版面のエッジからその側面に伸びるＲ部の一部領域を、前記版面の表面における平滑状態と同等に仕上げることを特徴とするグラビア印刷版の製造方法。
【請求項３】
表面に銅メッキが施され、グラビア印刷版に仕上げるまでのグラビアシリンダーを回転させながら、該グラビアシリンダーの両端からそれらの側面に至るＲ部に沿って、鉄、ステンレス、クロム等の金属製治具、又はセラミック製治具を移動させて塑性加工を施すことにより、前記Ｒ部の一部に銅メッキが施され研磨された版面の平滑状態と同等の状態に仕上げ、次いで前記版面の銅メッキ層に６μから１２μのクロムメッキ層を形成することを特徴とするグラビア印刷版の製造方法。
【請求項４】
表面に銅メッキが施され、グラビア印刷版に仕上げるまでのグラビアシリンダーを回転させながら、該グラビアシリンダーの両端からそれらの側面に至るＲ部に沿ってダイアモンドバイト又は超硬バイトを移動させて切削加工を施すことにより、前記Ｒ部の一部に銅メッキが施され研磨された版面の平滑状態と同等の状態に仕上げ、次いで前記版面の銅メッキ層に６μから１２μのクロムメッキ層を形成することを特徴とするグラビア印刷版の製造方法。
【請求項５】
表面に銅メッキが施され、グラビア印刷版に仕上げるまでのグラビアシリンダーを回転させながら、該グラビアシリンダーの両端からそれらの側面に至るＲ部に沿って砥石を移動させて砥石研磨を施すことにより、前記Ｒ部の一部に銅メッキが施され研磨された版面の平滑状態と同等の状態に仕上げ、次いで前記版面の銅メッキ層に６μから１２μのクロムメッキ層を形成することを特徴とするグラビア印刷版の製造方法。
【請求項６】
請求項１に記載のグラビア印刷版、もしくは、請求項２又は請求項３又は請求項４又は請求項５で製造されたグラビア印刷版でもって印刷することを特徴とするグラビア印刷方法。
【発明の詳細な説明】
【技術分野】
【０００１】
グラビア印刷において、グラビア印刷版に設けられたセル（絵柄を形成する）にインキを塗布した後、不要なインキを除去するためのドクター刃において、グラビア印刷版両端のＲ部で揺動するドクター刃の摩耗や損傷を少なくし、グラビア印刷物の品質向上、ドクター刃の耐久性を高め、グラビア印刷の生産性向上を図ることができるグラビア印刷版並びにグラビア印刷版の製造方法及びグラビア印刷方法に関する。
【背景技術】
【０００２】
デジタル印刷の出現以前には、平版印刷、凸版印刷、凹版印刷が印刷三方式と呼ばれていた。グラビア印刷は、凹版印刷の代表的な印刷方式であり多様な印刷素材に対応できる印刷として広く使用されている。
【０００３】
グラビア印刷の特徴は、使用するインキに用いる樹脂の種類を選択することにより、紙・アルミ・各種のフィルムなど多様な素材に印刷を施すことができる。また、フィルムなど透明な素材においては、印刷面から又は非印刷面から意匠を認識できるため、産業資材分野、包装資材分野などの印刷に多く用いられている。
【０００４】
どの分野においても、印刷物の品質要求は高くなっており機械面、インキ面、副資材面の検討は行われているが、これらについて多面的に検討されることは少ない。たとえば、グラビア印刷版とドクター刃に関する検討においても、意匠を形成するグラビア印刷シリンダーのセル形状や表面粗さ、ドクター刃が版面でどのように変化する（例えばセラッメキドクター刃の開発）などの検討であり、製品に関係がないと思われていたグラビア印刷版の版エッジの影響をなくす方法などは検討されていない。検討がなされたとしても、「版エッジをきれいに清掃しよう。」というような行為でしかなかった。従って、特許文献、非特許文献おいて、記載された文献を見出すことが出来なかった。
【０００５】
グラビア印刷版の製造工程を簡単に記載すると、１、アルミ又は鉄のシリンダーを所望の円周（版ピッチ）に旋盤で切削する。２、このときシリンダーの両端部（版面と側面の交点部分）を半径１０ｍｍ程度の曲面で仕上げＲ部を形成するが、この時点で一般的にＲ部の表面凹凸は、版面部分より凹凸の激しいものである。３、さらにペーパー研磨が施されることもある。４、次いで、銅メッキが５００ミクロン程度される。（グラビア印刷版の転用を容易にする為更に銀粒子を付着させた後更に銅メッキ層を７０μ程度形成することもある。…バラード版）５、版面の銅メッキ面は砥石研磨２０００番から３０００番で仕上げられ、バフ研磨も行われることもある。これにより、版面は鏡面状態の平滑性が得られる。６、版端部のＲ部は（５、）の研磨の前にヤスリで銅メッキのブツなどを除去するが、ヤスリの目が細かすぎるとヤスリの目に銅が詰まる為、Ｒ部は平滑とは言えない状態で次の工程に送られる。７、次いで、砥石研磨された銅メッキ面にレーザー方式のダイレクト腐食又はダイヤ針による電子彫刻により、版深３５ミクロンから５ミクロン程度のセルが形成される。８、次に、耐刷力を高めるためクロムメッキが６ミクロンから１２ミクロン程度の厚みで形成され、版面はペーパー研磨が行われる。（この段階では、Ｒ部の研磨は行われない。従って、Ｒ部は銅メッキの状態より更に荒れた表面となり、また表面硬度も高いものとなる。）  
【０００６】
このような、表面状態であるグラビア印刷版両端のＲ部にドクター刃が加圧され揺動することで刃先は激しい摩耗、カケ、損傷が生じ、ドクター刃の交換頻度が多くなるだけでなく、ドクター刃の摩耗、カケ、損傷による異物がインキ中に混入し筋汚れや、ドクター筋、筋汚れと呼ばれる印刷不良の原因となっている。また、カケや損傷によりインキ飛びの原因にもなっている。
【発明の概要】
【発明が解決しようとする課題】
【０００７】
グラビア印刷版を用いるグラビア印刷において、インキを掻き落とすために使用するドクター刃とグラビア印刷版の両端のＲ部（具体的には、グラビア印刷版の版面と呼ばれる２次曲面とグラビア印刷版の円状側面の間に存在するＲ部と呼ばれる３次曲面部分）が接触することで発生するドクター刃の摩耗や損傷を少なくし、グラビア印刷物の品質向上、生産性向上が図れるグラビア印刷版並びにグラビア印刷版の製造方法及びグラビア印刷方法を提供することを課題とする。
【課題を解決するための手段】
【０００８】
本発明のグラビア印刷版は、グラビア印刷に供するグラビア印刷版であって、該グラビア印刷版の版面に塗布されたインキを掻き落とすドクター刃が接する、前記版面のエッジからその側面に伸びるＲ部の一部領域が前記版面の表面における平滑状態と同等に仕上げられていることを特徴とする。
【０００９】
ドクター刃は、グラビア印刷版の版面に加圧することでグラビア印刷版に塗布されたインキを掻き落とすが、グラビア印刷版の両端部分においては、Ｒ部の表面が版面の表面の比べ平滑でないために、ドクター刃先は接触又揺動することで激しい摩耗、カケ、損傷が生じる。ここでドクター刃が接触するＲ部は、Ｒ部全面に接触するのではなく、版面よりグラビア印刷版の芯部方向に２ｍｍ以内の範囲であり、この範囲をグラビア印刷版の版面の平滑と同等の表面仕上げの状態にすればよい。また版面とＲ部の境界部のおいては、平坦な状態であることが望ましい。
【００１０】
また、本発明者が特許第６０５６１１２号で提案したグラビア印刷版の両端部分においてドクター刃の加圧を弱くする場合に有っては、ドクター刃が接触するＲ部は、版面よりグラビア印刷版の芯部方向に０，５ｍｍ以内の範囲であり、この範囲をグラビア印刷版の版面の平滑と同等の平滑な状態にすればよい。
【００１１】
図１に、グラビア印刷版を図示し、先に記述した芯部方向（１）を含めグラビア印刷版の版面（２）、版側面（３）、Ｒ部（４）、チャッキング穴（５）、ドクター刃（７）を示す。また、図２から図７は拡大断面図を示すが、図示するグラビア印刷版の断面を破線イ−イで示す部分である。
【００１２】
図２に、１例としてＲ部（７）半径が１０ｍｍの場合の拡大断面図を示す。（ちなみに、一般的にグラビア印刷版の両端部分におけるＲ部半径は５ｍｍから１２ｍｍ程度である。）
【００１３】
図２のグラビア印刷版のＲ部（４）が半径１０ｍｍの拡大断面図において、版面（２）からＲ部（４）に平行に１ｍｍ単位に細破線を示した。また、０，５ｍｍと２ｍｍの位置は太破線で示した。ドクター刃（７）は版面（２）に加圧されることにより湾曲するが、Ｒ部（４）においては、Ｒ部（４）に沿って湾曲し徐々に加圧は弱くなっていきＲ部（４）に接触しなくなり直線となる。
【００１４】
グラビア印刷において、ドクター刃（７）は図２に示すようにＲ部（４）との接触幅は版面（２）エッジから６ｍｍ以内での接触となる。また、特許第６０５６１１２号で提案したグラビア印刷版（１）の両端部分においてドクター刃（７）の加圧を弱くする場合に有っては、ドクター刃（７）がＲ部（４）と接触する接触幅は３ｍｍ以内となる。
【００１５】
従って、グラビア印刷を行いグラビア印刷版（６）両端のＲ部（４）でドクター刃の摩耗、損傷を防止するには、ドクター刃（７）がＲ部（４）と接触する部分の表面状態を、版面（２）と同等の平滑な表面状態と同様にすればよい。
【００１６】
グラビア印刷機において、印刷意匠を付与する印刷ユニットは主たる部位として、絵柄となるセルが形成されたグラビア印刷版にインキパンよりインキが版面に塗布され余分なインキを左右に揺動するドクター刃で掻き落とし、セルに残ったインキを被印刷物に転写するため、ニップ圧胴で被印刷物をグラビア印刷版に圧接することでグラビア印刷は行われる。
【００１７】
また、絵柄の形成に関与しないグラビア印刷版の両端部分は、版幅より広いドクター刃で版面に塗布されたインキが掻き取られ、版面の幅より狭いニップ圧胴が押し当てられるのであるが、グラビア印刷版の両端（グラビア印刷版の版面と版側面との交点部）は、先に記述した半径で切削加工されＲ部を形成している。
【００１８】
グラビア印刷版の寸法関係の１例を上げると、グラビア印刷版幅１１００ｍｍ、Ｒ部半径１０ｍｍ、版面幅１０８０ｍｍであり、ドクター刃の幅１２００ｍｍ、ニップ圧胴幅１０４０ｍｍである。ドクター刃の揺動幅は１０ｍｍ程度で、ドクター刃、ニップ圧胴がグラビア印刷版に接触しグラビア印刷が行われる。
【００１９】
グラビア印刷版両端のＲ部とドクター刃の関係についてグラビア印刷を行うことで、どのようになるかについて図３から図７で説明を加える。  
【００２０】
図３は、グラビア印刷における、グラビア印刷版（６）端部の望ましい平滑なＲ部（４Ａ）とドクター刃（７）の状態及びドクター刃（７）の揺動幅（８）を白抜両矢印で示した概念拡大図である。グラビア印刷においては、版面（２）及び望ましい平滑なＲ部（４Ａ）の一部は、ドクター刃（７）と接している。図３から図７ではグラビア印刷版（６）とドクター刃（７）を離して図示（９）（黒両矢印で示す）している。
【００２１】
ドクター刃（７）が版面（２）で受ける負荷は、加圧のための刃先湾曲と、版面（２）に設けられるセルにより刃先に生じる微振動である。(セルを形成する土手は、印刷安定性を考慮し設計されているが、セルに接するドクター刃先は、セルのない版面に接するドクター刃先に比較し摩耗は激しい。)  また、図には、版面（５）と垂直な版側面（６）を示す。
【００２２】
一方、Ｒ部の表面がグラビア印刷版（６）の版面（２）と同等の平滑に仕上げられた望ましい平滑なＲ部（４Ａ）であれば、ドクター刃（７）が平滑なＲ部（４Ａ）で受ける負荷は、ドクター刃（７）の版面（２）への加圧のための刃先湾曲とドクター搖動により平滑なＲ部（４Ａ）に沿っての湾曲の開放と、解放された状態から湾曲の繰り返しである。
【００２３】
ドクター刃（７）は、バネ鋼材（一般的にスェーデン鋼が使用される。）が選定されており、まさに〔湾曲−解放〕の繰り返し耐久性に優れた材質が選定されている一つの理由と考えられる。
【００２４】
しかし、実際のグラビア印刷版においては、絵柄を再現するための版面は平滑な状態はグラビア印刷版版として不可欠であるが、Ｒ部の表面状態については重要視されず、ドクター刃に負担がない平滑な状態に管理されていなかった。
【００２５】
本発明者らが印刷欠点である「ヒゲ」防止のため開発したセラミックドクター刃は、最近では一般的なドクター刃として使用しているが、生産性向上のためにセラミック塗布からセラメッキに変更されたことにより、ドクター刃は脆く柔軟になっており、Ｒ部でカケや損傷を受けやすくなっている。当初のセラミック単体から金属化合物であるセラメッキに変わっためにクロムメッキ層との滑り性が悪くなっていることも原因となっているかもしれない。
【００２６】
従って、平滑なＲ部（４Ａ）を有するグラビア印刷版（６）を使用すれば、ドクター刃（７）が平滑なＲ部（４Ａ）で受ける負荷は、版面（２）上のセル部分で受ける負荷に比べ少ないものである。
【００２７】
図４は、従来のグラビア印刷に使用されている、グラビア印刷版（６）端部の荒れたＲ部（４Ｂ）とドクター刃（７）の拡大図である。ドクター刃（７）は、表面が平滑でない荒れたＲ部（４Ｂ）に加圧接触し揺動するために、摩耗、カケ、損傷を生じ、その摩耗、カケ、損傷が生じた部分（１０）を斜線で示している。
【００２８】
このようにＲ部（４）で発生する欠点を配慮せずにグラビア印刷版（６）が使用されてきた理由は、１、数十年前はグラビア印刷の印刷速度は低速でありＲ部でのドクター刃の損傷が少なく、印刷品質も最近のように高いレベルを求められず、また検査機器が印刷機に常備されておらず、あるレベル以下の欠点は許容範囲であったのではないか、と本願発明者は考える。２、また、グラビア印刷は、インキの取り扱い、グラビア印刷版の取り扱い、多種多様な印刷品質の監視など、を行わなければならず、グラビア印刷の基本に立ち戻っての思考がなされてこなかったのではないか、と本願発明者は考える。
【００２９】
図５は、本発明のグラビア印刷版（６）端部のＲ部（４Ａ・４Ｂ）とドクター刃（７）の拡大図である。ドクター刃（７）は、表面が平滑に仕上げられた平滑なＲ部（４Ａ）に加圧接触し揺動するために、摩耗、カケ、損傷の発生はない。
【００３０】
図６は、本発明のグラビア印刷版（６）端部のＲ部（４Ａ・４Ｂ）とドクター刃（７）の拡大図であり、先に記載した特許第６０５６１１２号の方法によりグラビア印刷版（６）端部のＲ部（４Ａ・４Ｂ）に於けるドクター刃（７）の圧力を弱くしたものであり、グラビア印刷版（６）端部のＲ部（４Ａ・４Ｂ）とドクター刃（７）の接触部分は少なくなり平滑なＲ部（４Ａ）の幅は図５と比べ狭くなっている。
【００３１】
Ｒ部（４Ａ・４Ｂ）に於けるドクター刃（７）の圧力を弱くする方法としては、特許第６０５６１１２号に記載の厚刃の当て板をＲ部付近のカットが簡単な方法であるが、この場合Ｒ部は３ｍｍ以下の幅で版面端部よりＲ部方向に版面と同様の研磨が行われば良い。尚、厚刃の当て板をＲ部付近のカットの幅を適切に選択すれば、ドクター刃は版面端部に低加圧で接触することとなり１ｍｍ程度の平滑なＲ部（４Ａ）の幅があればドクター刃は安定なものとなる。Ｒ部にドクター刃の加圧力を弱めて接触している状態（１１）を示す。  
【００３２】
図７に、グラビア印刷版（６）端部のＲ部（４Ｂ）が極端に荒れていなければ版エッジの０、３ｍｍ程度が平滑であれば、ドクターの加圧を図６に示した状態より更に弱くすることで、Ｒ部（４Ｂ）で摩耗、損傷しない状態を図示した。この場合の一例としては、厚刃の当て板からドクター刃を５ｍｍから７ｍｍ出し刃先を版面に当てて加圧するのが一般的であるが、ドクター刃をＲ部（４Ｂ）に接触する範囲を含め且つニップ圧胴を汚さない範囲で２０ｍｍから３５ｍｍ出るように厚刃の当て板を加工すれば、ドクター刃先は若干のＲ部との接触はあるがドクター刃先への損傷は与えない。（詳細は特許第６０５６１１２号に記載）Ｒ部にドクター刃の加圧力を弱め接触する状態（１１）を、Ｒ部を細線に訂正しドクター刃に接触する位置まで移動して示す。
【００３３】
本発明のグラビア印刷版の製造方法は、グラビア印刷に供するグラビア印刷版において、該グラビア印刷版の版面に塗布されたインキを掻き落とすドクター刃が接する前記版面のエッジからその側面に伸びるＲ部の一部領域を、前記版面の表面における平滑状態と同等に仕上げることを特徴とする。
【００３４】
ドクター刃が前記版面と版側面の間に設けられるＲ部にドクター刃が接する前記版面エッジから前記Ｒ部の一部領域を含む前記Ｒ部を、グラビア印刷版の版面の表面平滑の状態と同等に仕上げる製造方法としては、グラビアシリンダー〔以後、グラビア印刷に供されるものをグラビア印刷版、グラビア印刷版に仕上げられるまでをグラビアシリンダーと呼ぶ〕に銅メッキが施された後（１）銅の塑性加工特性を利用しＲ部表面に塑性加工を施す方法、（２）ダイアモンド刃などのバイトを使いＲ部表面を切削する方法、（３）版面を研磨するのと同様に砥石研磨する方法、（４）ヤスリを使用して研磨する方法、（５）ペーパーで研磨する方法、（６）研磨剤を用いバフや布などで研磨をする方法、などがある。また、これらの方法を併用してドクター刃が接する前記版面エッジから前記Ｒ部の一部領域を含む前記Ｒ部を、グラビア印刷版の版面の表面平滑の状態と同等に仕上げてもよい。
【００３５】
これらの方法は、既存版に銅メッキを行った状態、既存板のバラード層以下の下地銅メッキの状態、既存の作業方法見直しの検討などを行い、ドクター刃が接する前記版面エッジから前記Ｒ部の一部領域を含む前記Ｒ部を、グラビアシリンダーの版面の表面平滑の状態と同等に仕上げる方法を決めればよい。
【００３６】
Ｒ部の一部領域を含む前記Ｒ部の表面を平滑状態と同等に仕上げる先に記した（１）銅のＲ部表面に塑性加工を施す方法、（２）ダイアモンド刃などを使いＲ部表面を切削する方法、（３）Ｒ部表面を砥石研磨する方法について詳細を次に示す。これらの方法のいずれかと先に記した（４）、（５）、（６）方法を併用してドクター刃が接する前記版面エッジから前記Ｒ部の一部領域を含む前記Ｒ部を、グラビア印刷版の版面の表面平滑の状態と同等に仕上げればよい。
【００３７】
本発明のグラビア印刷版の製造方法の一つは、表面に銅メッキが施され、グラビア印刷版に仕上げるまでのグラビアシリンダーを回転させながら、該グラビアシリンダーの両端からそれらの側面に至るＲ部に沿って、鉄、ステンレス、クロム等の金属製治具、又はセラミック製治具を移動させて塑性加工を施すことにより、前記Ｒ部の一部に銅メッキが施され研磨された版面の平滑状態と同等の状態に仕上げ、次いで前記版面の銅メッキ層に６μから１２μのクロムメッキ層を形成することを特徴とする。
【００３８】
本方法は、グラビア印刷版両端のドクター刃と接するＲ部の表面を、版面の平滑な状態と同等にする方法の一つとして、銅の塑性加工特性を活用する方法である。
【００３９】
グラビアシリンダーに銅メッキが施されヤスリ等を用いてＲ部のメッキブツを削除した後、グラビアシリンダーの銅メッキ表面を研磨する砥石研磨機を用い版面の砥石研磨を行う前又は後にグラビアシリンダーを１０回転／分から４００回転／分の範囲で回転させたグラビアシリンダーのＲ部に、５ｍｍから４０ｍｍ程度の円柱状の鉄（硬質材）、ステンレス、クロム等の金属からなる治具、又はセラミックからなる治具を前記グラビアシリンダーの版面エッジからＲ部に沿って版側面の方向に線接点で圧接し銅メッキ層の表面を塑性加工することにより、グラビアシリンダーに銅メッキされたＲ部を平滑に仕上げ、Ｒ部を版面と同等の平滑な状態に仕上げたグラビア印刷版とする製造方法である。
【００４０】
この銅の塑性加工特性を生かす方法は、金属からなる治具、又はセラミックからなる治具を押し当てるものであり、容易に手作業で行うことができる。またＮＣ旋盤を使用する場合は、バイトを取り付ける部位に金属からなる治具、又はセラミックからなる治具を取り付け、押し圧を加えながら版面エッジからＲ部に移動させればＲ部を版面と同等の平滑な状態に仕上げたグラビアシリンダーを製造することができる。使用する旋盤に制御機能が足りない場合は、人手で補助する半自動での製造となる。また、グラビアシリンダー用砥石研磨機に本機能を付加するのもよい。
【００４１】
本発明のグラビア印刷版の製造方法の一つは、表面に銅メッキが施され、グラビア印刷版に仕上げるまでのグラビアシリンダーを回転させながら、該グラビアシリンダーの両端からそれらの側面に至るＲ部に沿ってダイアモンドバイト又は超硬バイトを移動させて切削加工を施すことにより、前記Ｒ部の一部に銅メッキが施され研磨された版面の平滑状態と同等の状態に仕上げ、次いで前記版面の銅メッキ層に６μから１２μのクロムメッキ層を形成することを特徴とする。
【００４２】
本方法は、グラビア印刷版両端のドクター刃と接するＲ部の表面を、版面の平滑な状態と同等にする方法の一つとして、ダイアモンドまたは超硬合金属等を用いた切削バイトを使用しＲ部の銅メッキ表面を切削する方法である。
【００４３】
銅は高い塑性特性を有する金属であり、鋭利な刃先を有する刃物で切削しないと切削ムラが発生し、金属工作に使用される一般的なバイトでは平滑な表面状態を安定して形成することが困難な場合がある。その場合はダイアモンドを用いた刃先角が３０度から６０度の角度を有する切削具を使用すればよい。
【００４４】
グラビア印刷シリンダーをＮＣ旋盤などに取り付け１０回転／分から５００回転／分の範囲で回転させたグラビアシリンダー両端のＲ部を、バイト刃先の先端が鋭利に仕上がったバイトを用い前記グラビアシリンダーの版面エッジからＲ部に沿って版側面の方向に線接点で接触させ銅メッキの表面を切削することにより、グラビアシリンダーに銅メッキされたＲ部を平滑に仕上げる製造方法である。
【００４５】
銅は塑性特性の高い金属であり、グラビアシリンダーにメッキする銅メッキはメッキ液などで銅メッキ硬度が調整できるが超硬合金属バイトで切削が困難な場合は、より刃先の先端が鋭利なダイアモンド刃を用いればよい。
【００４６】
手作業で行う場合は、銅メッキが施されたグラビアシリンダー両端のＲ部を、２本の回転する鉄、ステンレス、クロム等の金属からなる治具、又はセラミックからなる治具の間にダイアモンド刃を用いた切削具が前記グラビアシリンダーのＲ部に当接離反する方向に調整でき更にＲ部の円弧に沿って移動するようにガイドを有する構造のグラビアシリンダーＲ部切削装置を用いることでＲ部を版面と同等の平滑な状態に仕上げたグラビアシリンダーを製造することができるが、版側面の状態によっては手作業での版面エッジからＲ部に移動させればＲ部を版面と同等の平滑な状態に仕上げたグラビアシリンダーを製造することができる。ただ、Ｒ部の状態、版側面の状態によっては治具が振動を受けるため出来ない場合もある。    
【００４７】
本発明のグラビア印刷版の製造方法の一つは、表面に銅メッキが施され、グラビア印刷版に仕上げるまでのグラビアシリンダーを回転させながら、該グラビアシリンダーの両端からそれらの側面に至るＲ部に沿って砥石を移動させて砥石研磨を施すことにより、前記Ｒ部の一部に銅メッキが施され研磨された版面の平滑状態と同等の状態に仕上げ、次いで前記版面の銅メッキ層に６μから１２μのクロムメッキ層を形成することを特徴とする。
【００４８】
本方法は、グラビア印刷版両端のＲ部における表面平滑の状態を作り上げる方法の一つとして、グラビアシリンダーの版面を平滑にする砥石研磨と同様の方法である。
【００４９】
グラビア印刷版の製造方法は、グラビアシリンダーにセルを設ける前段工程である銅メッキが設けられたグラビアシリンダーの版面を砥石研磨する前又は後に前記グラビアシリンダーを２０回転／分から４００回転／分の範囲で回転させ、前記銅メッキが施されたグラビアシリンダー両端のＲ部を、１０００番から４０００番の砥石を用い前記グラビアシリンダーの版面エッジからＲ部に沿って版側面の方向に移動させグラビアシリンダーのＲ部に銅メッキされた凹凸状態を版面の平滑と同等に仕上げ、次いで銅メッキ層の上に６μから１２μのクロムメッキ層を形成する。
【００５０】
グラビア印刷版の版面を砥石研磨するのは、ドーナツ状の砥石が回転し版面に一線状で接触し水を塗布しながら版面を研磨するものである。しかしＲ部は曲線状で、これに接触し研磨をする必要がある。また、砥石の目に銅の研磨カスが詰まらないように銅メッキの研磨と共に砥石カスが脱落しやすい柔らかい砥石を使用する。
【００５１】
グラビアシリンダーの版面を砥石研磨するのは、一線状に砥石が接触し研磨するものであるが、Ｒ部の研磨は曲線状に接触し研磨をする必要がある。また、砥石の目に銅の研磨カスが詰まらないように砥石の摩耗と共に除去されるように柔らかい砥石を使用するため砥石に凹凸が発生し易く砥石の交換を考慮すると装置としての研磨ではなく手作業での研磨が利便性に優れる。
【００５２】
また、版面は下地である鉄またはアルミ二ウムの段階から平滑に仕上げられており、版面を砥石研磨するのに、２０００番から３０００番の砥石を使用するが、荒れたＲ部の研磨においては６００番から３０００番の砥石を段階的に使用するとよい。
【００５３】
鉄またはアルミ二ウムの段階で、Ｒ部を平滑に仕上げることが出来れば、砥石研磨の方法だけでなく先に記した塑性加工による方法、切削による方法においても、ドクター刃が接する前記版面のエッジからその側面に伸びるＲ部の一部領域を、前記版面の表面における平滑状態と同等に仕上げることが容易になる。更に先に記したペーパーによる方法や研磨剤による方法だけでもＲ部を平滑な状態にすることが可能となる。  
【００５４】
グラビア印刷版の両端部分のＲ部を版面の平滑性と同等にする方法について、３通り方法を詳細に示したが、本発明者が特許第６０５６１１２号で提案した方法と併用すれば、グラビア印刷版の両端部分のＲ部を版面の平滑状態と同等にする範囲は大幅に少なくすることができ、作業効率面、品質面において有利な方法となる。
【００５５】
バラード層をもうけるグラビア印刷版においては、バラード層を設ける前の銅メッキの段階でＲ部を平滑にしておけば、セルを設ける前のＲ部を平滑にする負荷は少なくなる。
【００５６】
表１に、これら３通りの方法及び一般的なペーパー、研磨剤、ヤスリを使用する方法について特徴をまとめる。
【表１】
2018126931.tif 000003
【００５７】
本発明のグラビア印刷方法は、グラビア印刷版の版面に塗布されたインキを掻き落とすドクター刃が接する前記版面のエッジからその側面に伸びるＲ部の一部領域が前記版面の表面における平滑状態と同等に仕上げられているグラビア印刷版、もしくは、ドクター刃が接する前記版面のエッジからその側面に伸びるＲ部の一部領域を、前記版面の表面における平滑状態と同等に仕上げる製造方法により製造されたグラビア印刷版、又はグラビアシリンダーの両端からそれらの側面に至るＲ部に沿って、鉄、ステンレス、クロム等の金属製治具、又はセラミック製治具を移動させて塑性加工を施す製造方法により製造されたグラビア印刷版、又はダイアモンドバイトまたは超硬合金バイトを移動させて切削加工を施す製造方法により製造されたグラビア印刷版、又は砥石を移動させて砥石研磨を施す製造方法により製造されたグラビア印刷版で、Ｒ部の一部が版面の平滑状態と同等に仕上げられているグラビア印刷版でもって印刷することを特徴とする。
【００５８】
本発明のグラビア版を用いたグラビア印刷においては、種々の改善が図られたグラビア印刷方法とすることができる。
【００５９】
ドクター刃がグラビア印刷版の両端のＲ部で摩耗損傷がなくなることの利点として、（１）ドクター刃が激しい摩耗、カケ、損傷を受けることで、これにより発生したドクター粉やドクター片がインキへの混入を防止できる。（２）インキ中の異物であるドクター粉、ドクター片がなくなることで印刷不良であるドクター筋、筋汚れの発生を防止できる。また、インキ飛びも発生しない。（３）ドクター刃の監視作業を版面上のドクター刃に集中することができ、ドクター刃の使用寿命を的確に判断できる。（４）グラビア印刷版の両端のＲ部で摩耗損傷によるドクター刃交換作業が少なくなりドクター刃の使用枚数が削減できる。（５）グラビア印刷版のＲ部の摩耗が少なくなり、Ｒ部損傷による版寿命を早めることはない。（６）印刷不良であるドクター筋、筋汚れなどが巻き込まれた印刷物を後工程に送られないため、不良部除去や検査がなくなると共に、諸々の事務処理が軽減される。（７）印刷不良削除がなくなり製品の繋ぎヵ所が少なくなることでユーザーの評価が上がる。等々製品品質、作業効率、製品評価など全てにおいて改善良化を図ることができる。  
【００６０】
本発明のグラビア印刷版を使用しグラビア印刷を行う上での注意点を記載する。グラビア印刷を行っていると、ドクター刃は版面に設けられた絵柄部において摩耗し、特にベタ柄（特色版や白抑え版）において摩耗を激しくなる。ドクターの刃先は摩耗し１ｍｍ程度の差ができる。この差を補うためドクターの加圧を強くするが、絵柄のある版面においては、印刷を始めた時点の絵柄部へのドクター刃の加圧状態を変えないために対処する方法である。しかし絵柄のない版面及びＲ部に対しては、ドクター刃の摩耗がないためにドクターの加圧は強くなっている。絵柄のない版面においては、ドクター刃先の湾曲が強くなるが、本発明のグラビア印刷版においては平滑なＲ部とドクターの接触する幅が広くなっていく。従って、版面エッジからＲ部に設ける平滑なＲ部は少し余裕を持たせた幅にするのがよい。
【発明の効果】
【００６１】
グラビア印刷版の両端部分のＲ部を版面の平滑性と同等にすることで、ドクター刃は該部分での摩耗、カケ、損傷を防止できるため、ドクター刃の使用寿命を延ばし、また、摩耗、カケ、損傷によるインキ中へのドクター刃に起因する異物の混入を無くし印刷品質（筋汚れ、ドクター筋、ドクター刃のカケによるＲ部よりのインキ飛びなど）を向上することができる。
【図面の簡単な説明】
【００６２】
【図１】グラビア印刷版及びドクター刃の図
【図２】グラビア印刷版のＲ部が半径１０ｍｍの拡大断面図
【図３】グラビア印刷版端部の平滑なＲ部とドクター刃の概念拡大図
【図４】グラビア印刷版端部の荒れたＲ部とドクター刃の概念拡大図
【図５】本発明のグラビア印刷版端部のＲ部とドクター刃の概念拡大図
【図６】本発明のグラビア印刷版端部のＲ部とドクター刃の別な概念拡大図
【図７】Ｒ部にドクター刃の加圧力を弱め接触する状態の概念拡大図
【図８】実施例２のＲ部周辺の図
【発明を実施するための形態】
【実施例１】
【００６３】
銅の塑性加工特性を利用し、版面エッジから４ｍｍまでのＲ部を版面と同等の平滑な状態まで手作業で仕上げ、更に布に研磨剤のピカールを塗布し研磨を行った後、８ミクロンのクロムメッキを行った後版面のバリ取りと同様にＲ部も８００番のペーパーを使い手作業でバリ取りを行いグラビア印刷版とした。こうして、墨、藍、紅、黄、セピア、白のグラビア印刷版を作製した。ここで使用したグラビア印刷版の版円周は６５０ｍｍであった。
【００６４】
次いで、上記作成の６版を使用しグラビア印刷を行い、Ｒ部に接するドクター刃の状態を観察した。インキは全てメーカーから納入されたろ過がされている新しいインキを使用した。
【００６５】
５０、０００ｍの印刷を行った時点で、ストライプ柄のセピア版とベタ柄の白版においては、絵柄部の刃先摩耗が見られた。（段付きドクター刃を使用したので、段付き部分の幅変化で判断した。）墨、藍、紅、黄はカラー絵柄の版でベタ部がなく刃先摩耗は、ほとんど見られなかった。グラビア印刷版のＲ部に接触しているドクター刃の部分は、絵柄のない版面に接触しているドクター刃の部分と異ならず、ドクター刃の揺動幅の部分についても確認できなかった。
【００６６】
１００、０００ｍの印刷を行った時点で、ストライプ柄のセピア版とベタ柄の白版においては、明らかに絵柄部と非絵柄部においてドクター刃の摩耗に差（１ｍｍ近い差）があったため、この２版のドクターについては、ドクター刃の交換を行った。この時点のおいても、墨、藍、紅、黄はカラー絵柄の版ではドクター刃先摩耗は、ほとんど見られなかった。この時点で、６色のグラビア印刷版のＲ部に接触しているドクター刃の部分は、絵柄のない版面に接触しているドクター刃の部分と異ならず、ドクター刃の揺動幅の部分についても確認できなかった。
【００６７】
更に５０，０００ｍｍの印刷を行い、１５０，０００ｍｍで刷了となったが、墨、藍、紅、黄はカラー絵柄の版に使用したドクター刃は、他の印刷に使用できる状態であった。
いずれのドクター刃もグラビア印刷版のＲ部に接触しているドクター刃の部分は、絵柄のない版面に接触しているドクター刃の部分と異ならず、ドクター刃の揺動幅の部分についても確認できなかった。
【００６８】
また、１５０，０００ｍの印刷において、ドクター筋、筋汚れ、インキ飛び、の印刷欠点発生は一度も発生しなかった。
【実施例２】
【００６９】
銅の塑性加工特性を利用し、版面エッジから１ｍｍまでのＲ部を版面と同等の平滑な状態まで手作業で仕上げ、更に布に研磨剤のピカールを塗布し研磨を行った後、８ミクロンのクロムメッキを行った後版面のバリ取りと同様にＲ部も８００番のペーパーを使い手作業でバリ取りを行いグラビア印刷版とした。こうして、墨、藍、紅、黄、セピア、白のグラビア印刷版を作製した。ここで使用したグラビア印刷版の版円周は６５０ｍｍであった。
【００７０】
次いで、上記作成の６版を使用しグラビア印刷を行い、Ｒ部に接するドクター刃の状態を観察した。ここで、ドクター刃は、特許第６０５６１１２号で提案した方法と併用しグラビア印刷版のＲ部への加圧力を弱くするよう厚刃の当て板を部分カットしたものを使用した。
【００７１】
図８にＲ部周辺の図を示す。グラビア印刷版（６）は版幅１１００ｍｍで、版面（２）幅は１０８０ｍｍ、Ｒ部（４）は１０ｍｍ半径、版側面（３）を使用、ニップ圧胴（１２）の幅は１０４０ｍｍ、ドクター刃（７）、厚刃当て板（１３）、ドクターホルダー（１４）は全て１２００ｍｍ幅の物を使用した。版面（２）部における厚刃当て板（１３）からドクター刃（７）の出代は５ｍｍ、Ｒ部（４）における厚刃当て板（１３）からドクター刃（７）の出代は２３ｍｍとした。ドクターホルダー（１４）から厚刃当て板（１３）の出代は厚刃当て板のカット部（１５）で２ｍｍとした。ドクター刃の揺動幅（８）は１０ｍｍとし白抜き両矢印で示した。厚刃当て板のカット部（１５）を細破線で示した。厚刃当て板のカット部の寸法は、１８ｍｍ×（７５ｍｍ・６５ｍｍ）の片台形であった。
【００７２】
次いで、上記作成の６版を使用しグラビア印刷を行い、Ｒ部に接するドクター刃の状態を観察した。インキは全てメーカーから納入された新しいインキを使用した。
【００７３】
５０、０００ｍの印刷を行った時点で、ストライプ柄のセピア版とベタ柄の白版においては、絵柄部の刃先摩耗が見られた。（段付きドクター刃を使用したので、段付き部分の幅変化で判断した。）墨、藍、紅、黄はカラー絵柄の版でベタ部がなく刃先摩耗は、ほとんど見られなかった。グラビア印刷版のＲ部に接触しているドクター刃の部分は、絵柄のない版面に接触しているドクター刃の部分と異ならず、ドクター刃の揺動幅の部分についても確認できなかった。
【００７４】
１００、０００ｍの印刷を行った時点で、ストライプ柄のセピア版とベタ柄の白版においては、明らかに絵柄部と非絵柄部においてドクター刃の摩耗に差（１ｍｍ近い差）があったため、この２版のドクターについては、ドクター刃の交換を行った。この時点のおいても、墨、藍、紅、黄はカラー絵柄の版ではドクター刃先摩耗は、ほとんど見られなかった。この時点で、６色のグラビア印刷版のＲ部に接触しているドクター刃の部分は、絵柄のない版面に接触しているドクター刃の部分と異ならず、ドクター刃の揺動幅の部分についても確認できなかった。
【００７５】
更に５０，０００ｍｍの印刷を行い、１５０，０００ｍｍで刷了となったが、墨、藍、紅、黄はカラー絵柄の版に使用したドクター刃は、他の印刷に使用できる状態であった。
いずれのドクター刃もグラビア印刷版のＲ部に接触しているドクター刃の部分は、絵柄のない版面に接触しているドクター刃の部分と異ならず、ドクター刃の揺動幅の部分についても確認できなかった。
【００７６】
実施例２においても、実施例１と全く同様の結果となった。
【００７７】
また、１５０，０００ｍの印刷において、ドクター筋、筋汚れ、インキ飛び、の印刷欠点発生は一度も発生しなかった。
【符号の説明】
【００７８】
１    シリンダーの芯部方向
２    版面
３    版側面
４    Ｒ部
４Ａ  平滑なＲ部
４Ｂ  荒れたＲ部
５    チャッキング穴
６    グラビア印刷版  
７    ドクター刃
８    ドクター刃の揺動幅
９    グラビア印刷版とドクター刃を離して図示（黒両矢印）
１０  （ドクター刃に）摩耗、カケ、損傷が生じた部分
１１  Ｒ部にドクター刃の加圧力を弱めて接触している状態
１２  ニップ圧胴
１３  厚刃当て板
１４  ドクターホルダー
１５  厚刃当て板の削除部分（細破線で示す部分）  
【図１】
2018126931.tif 000004
【図２】
2018126931.tif 000005
【図３】
2018126931.tif 000006
【図４】
2018126931.tif 000007
【図５】
2018126931.tif 000008
【図６】
2018126931.tif 000009
【図７】
2018126931.tif 000010
【図８】
2018126931.tif 000011
【手続補正書】
【提出日】平成29年6月22日(2017.6.22)
【手続補正１】
【補正対象書類名】特許請求の範囲
【補正対象項目名】全文
【補正方法】変更
【補正の内容】
【特許請求の範囲】
【請求項１】
グラビア印刷に供するグラビア印刷版であって、前記グラビア印刷版は、版面と、前記版面のエッジから側面に伸びるＲ部の一部領域とに、銅メッキ層の表面が平滑な状態を有し、前記銅メッキ層上にクロムメッキ層を有することを特徴とするグラビア印刷版。
【請求項２】
グラビア印刷に供するグラビア印刷版であって、該グラビア印刷版は、版面となる銅メッキ面を砥石研磨により平滑に仕上げるのと同じく、前記版面のエッジからその側面に伸びるＲ部の一部領域の銅メッキ面を平滑な状態に仕上げ、然る後クロムメッキを施すことを特徴とするグラビア印刷版の製造方法。
【請求項３】
表面に銅メッキが施され、グラビア印刷版に仕上げるまでのグラビアシリンダーを回転させながら、該グラビアシリンダーの両端からそれらの側面に至るＲ部の銅メッキが施された一部領域に沿って、鉄、ステンレス、クロム等の金属製治具、又はセラミック製治具を移動させ銅メッキ表面を平滑に仕上げ、然る後クロムメッキを施されることを特徴とする請求項２のグラビア印刷版の製造方法。
【請求項４】
表面に銅メッキが施され、グラビア印刷版に仕上げるまでのグラビアシリンダーを回転させながら、該グラビアシリンダーの両端からそれらの側面に至るＲ部の銅メッキが施された一部領域に沿って、ダイアモンドバイト又は超硬バイトを移動させ銅メッキ表面を平滑に仕上げ、然る後クロムメッキを施されることを特徴とする請求項２のグラビア印刷版の製造方法。
【請求項５】
表面に銅メッキが施され、グラビア印刷版に仕上げるまでのグラビアシリンダーを回転させながら、該グラビアシリンダーの両端からそれらの側面に至るＲ部の銅メッキが施された一部領域に沿って砥石を移動させ銅メッキ表面を平滑に仕上げ、然る後クロムメッキを施されることを特徴とする請求項２のグラビア印刷版の製造方法。
【請求項６】
請求項１に記載のグラビア印刷版、もしくは、請求項３又は請求項４又は請求項５で製造されたグラビア印刷版でもって印刷することを特徴とするグラビア印刷方法。
【手続補正２】
【補正対象書類名】明細書
【補正対象項目名】全文
【補正方法】変更
【補正の内容】
【発明の詳細な説明】
【技術分野】
【０００１】
グラビア印刷において、グラビア印刷版に設けられたセル（絵柄を形成する）にインキを塗布した後、不要なインキを除去するためのドクター刃において、グラビア印刷版両端のＲ部で揺動するドクター刃の摩耗や損傷を少なくし、グラビア印刷物の品質向上、ドクター刃の耐久性を高め、グラビア印刷の生産性向上を図ることができるグラビア印刷版並びにグラビア印刷版の製造方法及びグラビア印刷方法に関する。
【背景技術】
【０００２】
デジタル印刷の出現以前には、平版印刷、凸版印刷、凹版印刷が印刷三方式と呼ばれていた。グラビア印刷は、凹版印刷の代表的な印刷方式であり多様な印刷素材に対応できる印刷として広く使用されている。
【０００３】
グラビア印刷の特徴は、使用するインキに用いる樹脂の種類を選択することにより、紙・アルミ・各種のフィルムなど多様な素材に印刷を施すことができる。また、フィルムなど透明な素材においては、印刷面から又は非印刷面から意匠を認識できるため、産業資材分野、包装資材分野などの印刷に多く用いられている。
【０００４】
どの分野においても、印刷物の品質要求は高くなっており機械面、インキ面、副資材面の検討は行われているが、これらについて多面的に検討されることは少ない。たとえば、グラビア印刷版とドクター刃に関する検討においても、意匠を形成するグラビア印刷シリンダーのセル形状や表面粗さ、ドクター刃が版面でどのように変化する（例えばセラッメキドクター刃の開発）などの検討であり、製品に関係がないと思われていたグラビア印刷版の版エッジの影響をなくす方法などは検討されていない。検討がなされたとしても、「版エッジをきれいに清掃しよう。」というような行為でしかなかった。従って、特許文献、非特許文献おいて、記載された文献を見出すことが出来なかった。
【０００５】
グラビア印刷版の製造工程を簡単に記載すると、１、アルミ又は鉄のシリンダーを所望の円周（版ピッチ）に旋盤で切削する。２、このときシリンダーの両端部（版面と側面の交点部分）を半径１０ｍｍ程度の曲面で仕上げＲ部を形成するが、この時点で一般的にＲ部の表面凹凸は、版面部分より凹凸の激しいものである。３、さらにペーパー研磨が施されることもある。４、次いで、銅メッキが５００ミクロン程度される。（グラビア印刷版の転用を容易にする為更に銀粒子を付着させた後更に銅メッキ層を７０μ程度形成することもある。…バラード版）５、版面の銅メッキ面は砥石研磨２０００番から３０００番で仕上げられ、バフ研磨も行われることもある。これにより、版面は鏡面状態の平滑性が得られる。６、版端部のＲ部は（５、）の研磨の前にヤスリで銅メッキのブツなどを除去するが、ヤスリの目が細かすぎるとヤスリの目に銅が詰まる為、Ｒ部は平滑とは言えない状態で次の工程に送られる。７、次いで、砥石研磨された銅メッキ面にレーザー方式のダイレクト腐食又はダイヤ針による電子彫刻により、版深３５ミクロンから５ミクロン程度のセルが形成される。８、次に、耐刷力を高めるためクロムメッキが６ミクロンから１２ミクロン程度の厚みで形成され、版面はペーパー研磨が行われる。（この段階では、Ｒ部の研磨は行われない。従って、Ｒ部は銅メッキの状態より更に荒れた表面となり、また表面硬度も高いものとなる。）  
【０００６】
このような、表面状態であるグラビア印刷版両端のＲ部にドクター刃が加圧され揺動することで刃先は激しい摩耗、カケ、損傷が生じ、ドクター刃の交換頻度が多くなるだけでなく、ドクター刃の摩耗、カケ、損傷による異物がインキ中に混入し筋汚れや、ドクター筋、筋汚れと呼ばれる印刷不良の原因となっている。また、カケや損傷によりインキ飛びの原因にもなっている。
【発明の概要】
【発明が解決しようとする課題】
【０００７】
グラビア印刷版を用いるグラビア印刷において、インキを掻き落とすために使用するドクター刃とグラビア印刷版の両端のＲ部（具体的には、グラビア印刷版の版面と呼ばれる２次曲面とグラビア印刷版の円状側面の間に存在するＲ部と呼ばれる３次曲面部分）が接触することで発生するドクター刃の摩耗や損傷を少なくし、グラビア印刷物の品質向上、生産性向上が図れるグラビア印刷版並びにグラビア印刷版の製造方法及びグラビア印刷方法を提供することを課題とする。
【課題を解決するための手段】
【０００８】
本発明のグラビア印刷版は、グラビア印刷に供するグラビア印刷版であって、前記グラビア印刷版は、版面と、前記版面のエッジから側面に伸びるＲ部の一部領域とに、銅メッキ層の表面が平滑な状態を有し、前記銅メッキ層上にクロムメッキ層を有することを特徴とする。
【０００９】
ドクター刃は、グラビア印刷版の版面に加圧することでグラビア印刷版に塗布されたインキを掻き落とすが、グラビア印刷版の両端部分においては、Ｒ部の表面が版面の表面の比べ平滑でないために、ドクター刃先は接触又揺動することで激しい摩耗、カケ、損傷が生じる。ここでドクター刃が接触するＲ部は、Ｒ部全面に接触するのではなく、版面よりグラビア印刷版の芯部方向に２ｍｍ以内の範囲であり、この範囲をグラビア印刷版の版面の平滑と同等の表面仕上げの状態にすればよい。このため、Ｒ部に施される銅メッキの一部領域を版面の平滑と同等の表面仕上げの状態にすればよい。また版面とＲ部の境界部のおいては、平坦な状態であることが望ましい。
【００１０】
また、本発明者が特許第６０５６１１２号で提案したグラビア印刷版の両端部分においてドクター刃の加圧を弱くする場合に有っては、ドクター刃が接触するＲ部は、版面よりグラビア印刷版の芯部方向に０，５ｍｍ以内の範囲であり、この範囲を銅メッキが施された後、グラビア印刷版の版面の平滑と同等の平滑な状態にすればよい。
【００１１】
図１に、グラビア印刷版を図示し、先に記述した芯部方向（１）を含めグラビア印刷版の版面（２）、版側面（３）、Ｒ部（４）、チャッキング穴（５）、ドクター刃（７）を示す。また、図２から図７は拡大断面図を示すが、図示するグラビア印刷版の断面を破線イ−イで示す部分である。
【００１２】
図２に、１例としてＲ部（７）半径が１０ｍｍの場合の拡大断面図を示す。（ちなみに、一般的にグラビア印刷版の両端部分におけるＲ部半径は５ｍｍから１２ｍｍ程度である。）
【００１３】
図２のグラビア印刷版のＲ部（４）が半径１０ｍｍの拡大断面図において、版面（２）からＲ部（４）に平行に１ｍｍ単位に細破線を示した。また、０，５ｍｍと２ｍｍの位置は太破線で示した。ドクター刃（７）は版面（２）に加圧されることにより湾曲するが、Ｒ部（４）においては、Ｒ部（４）に沿って湾曲し徐々に加圧は弱くなっていきＲ部（４）に接触しなくなり直線となる。
【００１４】
グラビア印刷において、ドクター刃（７）は図２に示すようにＲ部（４）との接触幅は版面（２）エッジから６ｍｍ以内での接触となる。また、特許第６０５６１１２号で提案したグラビア印刷版（１）の両端部分においてドクター刃（７）の加圧を弱くする場合に有っては、ドクター刃（７）がＲ部（４）と接触する接触幅は３ｍｍ以内となる。
【００１５】
従って、グラビア印刷を行いグラビア印刷版（６）両端のＲ部（４）でドクター刃の摩耗、損傷を防止するには、ドクター刃（７）がＲ部（４）と接触する部分の表面状態を、版面（２）と同等の平滑な表面状態と同様にすればよい。
【００１６】
グラビア印刷機において、印刷意匠を付与する印刷ユニットは主たる部位として、絵柄となるセルが形成されたグラビア印刷版にインキパンよりインキが版面に塗布され余分なインキを左右に揺動するドクター刃で掻き落とし、セルに残ったインキを被印刷物に転写するため、ニップ圧胴で被印刷物をグラビア印刷版に圧接することでグラビア印刷は行われる。
【００１７】
また、絵柄の形成に関与しないグラビア印刷版の両端部分は、版幅より広いドクター刃で版面に塗布されたインキが掻き取られ、版面の幅より狭いニップ圧胴が押し当てられるのであるが、グラビア印刷版の両端（グラビア印刷版の版面と版側面との交点部）は、先に記述した半径で切削加工されＲ部を形成している。
【００１８】
グラビア印刷版の寸法関係の１例を上げると、グラビア印刷版幅１１００ｍｍ、Ｒ部半径１０ｍｍ、版面幅１０８０ｍｍであり、ドクター刃の幅１２００ｍｍ、ニップ圧胴幅１０４０ｍｍである。ドクター刃の揺動幅は１０ｍｍ程度で、ドクター刃、ニップ圧胴がグラビア印刷版に接触しグラビア印刷が行われる。
【００１９】
グラビア印刷版両端のＲ部とドクター刃の関係についてグラビア印刷を行うことで、どのようになるかについて図３から図７で説明を加える。  
【００２０】
図３は、グラビア印刷における、グラビア印刷版（６）端部の望ましい平滑なＲ部（４Ａ）とドクター刃（７）の状態及びドクター刃（７）の揺動幅（８）を白抜両矢印で示した概念拡大図である。グラビア印刷においては、版面（２）及び望ましい平滑なＲ部（４Ａ）の一部は、ドクター刃（７）と接している。図３から図７ではグラビア印刷版（６）とドクター刃（７）を離して図示（９）（黒両矢印で示す）している。
【００２１】
ドクター刃（７）が版面（２）で受ける負荷は、加圧のための刃先湾曲と、版面（２）に設けられるセルにより刃先に生じる微振動である。(セルを形成する土手は、印刷安定性を考慮し設計されているが、セルに接するドクター刃先は、セルのない版面に接するドクター刃先に比較し摩耗は激しい。)  また、図には、版面（５）と垂直な版側面（６）を示す。
【００２２】
一方、Ｒ部の表面がグラビア印刷版（６）の版面（２）と同等の平滑に仕上げられた望ましい平滑なＲ部（４Ａ）であれば、ドクター刃（７）が平滑なＲ部（４Ａ）で受ける負荷は、ドクター刃（７）の版面（２）への加圧のための刃先湾曲とドクター搖動により平滑なＲ部（４Ａ）に沿っての湾曲の開放と、解放された状態から湾曲の繰り返しである。
【００２３】
ドクター刃（７）は、バネ鋼材（一般的にスェーデン鋼が使用される。）が選定されており、まさに〔湾曲−解放〕の繰り返し耐久性に優れた材質が選定されている一つの理由と考えられる。
【００２４】
しかし、実際のグラビア印刷版においては、絵柄を再現するための版面は平滑な状態はグラビア印刷版版として不可欠であるが、Ｒ部の表面状態については重要視されず、ドクター刃に負担がない平滑な状態に管理されていなかった。
【００２５】
本発明者らが印刷欠点である「ヒゲ」防止のため開発したセラミックドクター刃は、最近では一般的なドクター刃として使用しているが、生産性向上のためにセラミック塗布からセラメッキに変更されたことにより、ドクター刃は脆く柔軟になっており、Ｒ部でカケや損傷を受けやすくなっている。当初のセラミック単体から金属化合物であるセラメッキに変わったためにクロムメッキ層との滑り性が悪くなっていることも原因となっているかもしれない。
【００２６】
従って、平滑なＲ部（４Ａ）を有するグラビア印刷版（６）を使用すれば、ドクター刃（７）が平滑なＲ部（４Ａ）で受ける負荷は、版面（２）上のセル部分で受ける負荷に比べ少ないものである。
【００２７】
図４は、従来のグラビア印刷に使用されている、グラビア印刷版（６）端部の荒れたＲ部（４Ｂ）とドクター刃（７）の拡大図である。ドクター刃（７）は、表面が平滑でない荒れたＲ部（４Ｂ）に加圧接触し揺動するために、摩耗、カケ、損傷を生じ、その摩耗、カケ、損傷が生じた部分（１０）を斜線で示している。
【００２８】
このようにＲ部（４）で発生する欠点を配慮せずにグラビア印刷版（６）が使用されてきた理由は、１、数十年前はグラビア印刷の印刷速度は低速でありＲ部でのドクター刃の損傷が少なく、印刷品質も最近のように高いレベルを求められず、また検査機器が印刷機に常備されておらず、あるレベル以下の欠点は許容範囲であったのではないか、と本願発明者は考える。２、また、グラビア印刷は、インキの取り扱い、グラビア印刷版の取り扱い、多種多様な印刷品質の監視など、を行わなければならず、グラビア印刷の基本に立ち戻っての思考がなされてこなかったのではないか、と本願発明者は考える。
【００２９】
図５は、本発明のグラビア印刷版（６）端部のＲ部（４Ａ・４Ｂ）とドクター刃（７）の拡大図である。ドクター刃（７）は、表面が平滑に仕上げられた平滑なＲ部（４Ａ）に加圧接触し揺動するために、摩耗、カケ、損傷の発生はない。
【００３０】
図６は、本発明のグラビア印刷版（６）端部のＲ部（４Ａ・４Ｂ）とドクター刃（７）の拡大図であり、先に記載した特許第６０５６１１２号の方法によりグラビア印刷版（６）端部のＲ部（４Ａ・４Ｂ）に於けるドクター刃（７）の圧力を弱くしたものであり、グラビア印刷版（６）端部のＲ部（４Ａ・４Ｂ）とドクター刃（７）の接触部分は少なくなり平滑なＲ部（４Ａ）の幅は図５と比べ狭くなっている。
【００３１】
Ｒ部（４Ａ・４Ｂ）に於けるドクター刃（７）の圧力を弱くする方法としては、特許第６０５６１１２号に記載の厚刃の当て板をＲ部付近のカットが簡単な方法であるが、この場合Ｒ部は３ｍｍ以下の幅で版面端部よりＲ部方向に版面と同様の研磨が行われば良い。尚、厚刃の当て板をＲ部付近のカットの幅を適切に選択すれば、ドクター刃は版面端部に低加圧で接触することとなり１ｍｍ程度の平滑なＲ部（４Ａ）の幅があればドクター刃は安定なものとなる。Ｒ部にドクター刃の加圧力を弱めて接触している状態（１１）を示す。  
【００３２】
図７に、グラビア印刷版（６）端部のＲ部（４Ｂ）が極端に荒れていなければ版エッジの０、３ｍｍ程度が平滑であれば、ドクターの加圧を図６に示した状態より更に弱くすることで、Ｒ部（４Ｂ）で摩耗、損傷しない状態を図示した。この場合の一例としては、厚刃の当て板からドクター刃を５ｍｍから７ｍｍ出し刃先を版面に当てて加圧するのが一般的であるが、ドクター刃をＲ部（４Ｂ）に接触する範囲を含め且つニップ圧胴を汚さない範囲で２０ｍｍから３５ｍｍ出るように厚刃の当て板を加工すれば、ドクター刃先は若干のＲ部との接触はあるがドクター刃先への損傷は与えない。（詳細は特許第６０５６１１２号に記載）Ｒ部にドクター刃の加圧力を弱め接触する状態（１１）を、Ｒ部を細線に訂正しドクター刃に接触する位置まで移動して示す。
【００３３】
本発明のグラビア印刷版の製造方法は、グラビア印刷に供するグラビア印刷版であって、該グラビア印刷版は、版面となる銅メッキ面を砥石研磨により平滑に仕上げるのと同じく、前記版面のエッジからその側面に伸びるＲ部の一部領域の銅メッキ面を平滑な状態に仕上げ、然る後クロムメッキを施すことを特徴とする。
【００３４】
ドクター刃が前記版面と版側面の間に設けられるＲ部にドクター刃が接する前記版面エッジから前記Ｒ部の一部領域を含む前記Ｒ部を、グラビア印刷版の版面の表面平滑の状態と同等に仕上げる製造方法としては、グラビアシリンダー〔以後、グラビア印刷に供されるものをグラビア印刷版、グラビア印刷版に仕上げられるまでをグラビアシリンダーと呼ぶ〕に銅メッキが施された後（１）銅の塑性加工特性を利用しＲ部表面に塑性加工を施す方法、（２）ダイアモンド刃などのバイトを使いＲ部表面を切削する方法、（３）版面を研磨するのと同様に砥石研磨する方法、（４）ヤスリを使用して研磨する方法、（５）ペーパーで研磨する方法、（６）研磨剤を用いバフや布などで研磨をする方法、などがある。また、これらの方法を併用してドクター刃が接する前記版面エッジから前記Ｒ部の一部領域を含む前記Ｒ部を、グラビア印刷版の版面の表面平滑の状態と同等に仕上げてもよい。
【００３５】
これらの方法は、既存版に銅メッキを行った状態、既存板のバラード層以下の下地銅メッキの状態、既存の作業方法見直しの検討などを行い、ドクター刃が接する前記版面エッジから前記Ｒ部の一部領域を含む前記Ｒ部を、グラビアシリンダーの版面の表面平滑の状態と同等に仕上げる方法を決めればよい。
【００３６】
Ｒ部の一部領域を含む前記Ｒ部の表面を平滑状態と同等に仕上げる先に記した（１）銅のＲ部表面に塑性加工を施す方法、（２）ダイアモンド刃などを使いＲ部表面を切削する方法、（３）Ｒ部表面を砥石研磨する方法について詳細を次に示す。これらの方法のいずれかと先に記した（４）、（５）、（６）方法を併用してドクター刃が接する前記版面エッジから前記Ｒ部の一部領域を含む前記Ｒ部を、グラビア印刷版の版面の表面平滑の状態と同等に仕上げればよい。
【００３７】
本発明のグラビア印刷版の製造方法の一つは、表面に銅メッキが施され、グラビア印刷版に仕上げるまでのグラビアシリンダーを回転させながら、該グラビアシリンダーの両端からそれらの側面に至るＲ部に沿って、鉄、ステンレス、クロム等の金属製治具、又はセラミック製治具を移動させて塑性加工を施すことにより、前記Ｒ部の一部に銅メッキが施され研磨された版面の平滑状態と同等の状態に仕上げ、次いで前記版面の銅メッキ層にクロムメッキ層を形成することを特徴とする。
【００３８】
本方法は、グラビア印刷版両端のドクター刃と接するＲ部の表面を、版面の平滑な状態と同等にする方法の一つとして、銅の塑性加工特性を活用する方法である。
【００３９】
グラビアシリンダーに銅メッキが施されヤスリ等を用いてＲ部のメッキブツを削除した後、グラビアシリンダーの銅メッキ表面を研磨する砥石研磨機を用い版面の砥石研磨を行う前又は後にグラビアシリンダーを１０回転／分から４００回転／分の範囲で回転させたグラビアシリンダーのＲ部に、５ｍｍから４０ｍｍ程度の円柱状の鉄（硬質材）、ステンレス、クロム等の金属からなる治具、又はセラミックからなる治具を前記グラビアシリンダーの版面エッジからＲ部に沿って版側面の方向に線接点で圧接し銅メッキ層の表面を塑性加工することにより、グラビアシリンダーに銅メッキされたＲ部を平滑に仕上げ、Ｒ部を版面と同等の平滑な状態に仕上げ、次いで前記版面の銅メッキ層に6ミクロンから１２ミクロンのクロムメッキ層を形成しグラビア印刷版とする製造方法である。
【００４０】
この銅の塑性加工特性を生かす方法は、金属からなる治具、又はセラミックからなる治具を押し当てるものであり、容易に手作業で行うことができる。またＮＣ旋盤を使用する場合は、バイトを取り付ける部位に金属からなる治具、又はセラミックからなる治具を取り付け、押し圧を加えながら版面エッジからＲ部に移動させればＲ部を版面と同等の平滑な状態に仕上げたグラビアシリンダーを製造することができる。使用する旋盤に制御機能が足りない場合は、人手で補助する半自動での製造となる。また、グラビアシリンダー用砥石研磨機に本機能を付加するのもよい。
【００４１】
本発明のグラビア印刷版の製造方法の一つは、表面に銅メッキが施され、グラビア印刷版に仕上げるまでのグラビアシリンダーを回転させながら、該グラビアシリンダーの両端からそれらの側面に至るＲ部に沿ってダイアモンドバイト又は超硬バイトを移動させて切削加工を施すことにより、前記Ｒ部の一部に銅メッキが施され研磨された版面の平滑状態と同等の状態に仕上げ、次いで前記版面の銅メッキ層にクロムメッキ層を形成することを特徴とする。
【００４２】
本方法は、グラビア印刷版両端のドクター刃と接するＲ部の表面を、版面の平滑な状態と同等にする方法の一つとして、ダイアモンドまたは超硬合金属等を用いた切削バイトを使用しＲ部の銅メッキ表面を切削する方法である。
【００４３】
銅は高い塑性特性を有する金属であり、鋭利な刃先を有する刃物で切削しないと切削ムラが発生し、金属工作に使用される一般的なバイトでは平滑な表面状態を安定して形成することが困難な場合がある。その場合はダイアモンドを用いた刃先角が３０度から６０度の角度を有する切削具を使用すればよい。
【００４４】
グラビア印刷シリンダーをＮＣ旋盤などに取り付け１０回転／分から５００回転／分の範囲で回転させたグラビアシリンダー両端のＲ部を、バイト刃先の先端が鋭利に仕上がったバイトを用い前記グラビアシリンダーの版面エッジからＲ部に沿って版側面の方向に線接点で接触させ銅メッキの表面を切削することにより、グラビアシリンダーに銅メッキされたＲ部を平滑に仕上げ、次いで前記版面の銅メッキ層に6ミクロンから１２ミクロンのクロムメッキ層を形成する製造方法である。
【００４５】
銅は塑性特性の高い金属であり、グラビアシリンダーにメッキする銅メッキはメッキ液などで銅メッキ硬度が調整できるが超硬合金属バイトで切削が困難な場合は、より刃先の先端が鋭利なダイアモンド刃を用いればよい。
【００４６】
手作業で行う場合は、銅メッキが施されたグラビアシリンダー両端のＲ部を、２本の回転する鉄、ステンレス、クロム等の金属からなる治具、又はセラミックからなる治具の間にダイアモンド刃を用いた切削具が前記グラビアシリンダーのＲ部に当接離反する方向に調整でき更にＲ部の円弧に沿って移動するようにガイドを有する構造のグラビアシリンダーＲ部切削装置を用いることでＲ部を版面と同等の平滑な状態に仕上げたグラビアシリンダーを製造することができるが、版側面の状態によっては手作業での版面エッジからＲ部に移動させればＲ部を版面と同等の平滑な状態に仕上げたグラビアシリンダーを製造することができる。ただ、Ｒ部の状態、版側面の状態によっては治具が振動を受けるため出来ない場合もある。    
【００４７】
本発明のグラビア印刷版の製造方法の一つは、表面に銅メッキが施され、グラビア印刷版に仕上げるまでのグラビアシリンダーを回転させながら、該グラビアシリンダーの両端からそれらの側面に至るＲ部に沿って砥石を移動させて砥石研磨を施すことにより、前記Ｒ部の一部に銅メッキが施され研磨された版面の平滑状態と同等の状態に仕上げ、次いで前記版面の銅メッキ層にクロムメッキ層を形成することを特徴とする。
【００４８】
本方法は、グラビア印刷版両端のＲ部における表面平滑の状態を作り上げる方法の一つとして、グラビアシリンダーの版面を平滑にする砥石研磨と同様の方法である。
【００４９】
グラビア印刷版の製造方法は、グラビアシリンダーにセルを設ける前段工程である銅メッキが設けられたグラビアシリンダーの版面を砥石研磨する前又は後に前記グラビアシリンダーを２０回転／分から４００回転／分の範囲で回転させ、前記銅メッキが施されたグラビアシリンダー両端のＲ部を、１０００番から４０００番の砥石を用い前記グラビアシリンダーの版面エッジからＲ部に沿って版側面の方向に移動させグラビアシリンダーのＲ部に銅メッキされた凹凸状態を版面の平滑と同等に仕上げ、次いで銅メッキ層の上に６μから１２μのクロムメッキ層を形成する。
【００５０】
グラビア印刷版の版面を砥石研磨するのは、ドーナツ状の砥石が回転し版面に一線状で接触し水を塗布しながら版面を研磨するものである。しかしＲ部は曲線状で、これに接触し研磨をする必要がある。また、砥石の目に銅の研磨カスが詰まらないように銅メッキの研磨と共に砥石カスが脱落しやすい柔らかい砥石を使用する。
【００５１】
グラビアシリンダーの版面を砥石研磨するのは、一線状に砥石が接触し研磨するものであるが、Ｒ部の研磨は曲線状に接触し研磨をする必要がある。また、砥石の目に銅の研磨カスが詰まらないように砥石の摩耗と共に除去されるように柔らかい砥石を使用するため砥石に凹凸が発生し易く砥石の交換を考慮すると装置としての研磨ではなく手作業での研磨が利便性に優れる。
【００５２】
また、版面は下地である鉄またはアルミ二ウムの段階から平滑に仕上げられており、版面を砥石研磨するのに、２０００番から３０００番の砥石を使用するが、荒れたＲ部の研磨においては６００番から３０００番の砥石を段階的に使用するとよい。
【００５３】
鉄またはアルミ二ウムの段階で、Ｒ部を平滑に仕上げることが出来れば、砥石研磨の方法だけでなく先に記した塑性加工による方法、切削による方法においても、ドクター刃が接する前記版面のエッジからその側面に伸びるＲ部の一部領域を、前記版面の表面における平滑状態と同等に仕上げることが容易になる。更に先に記したペーパーによる方法や研磨剤による方法だけでもＲ部を平滑な状態にすることが可能となる。  
【００５４】
グラビア印刷版の両端部分のＲ部を版面の平滑性と同等にする方法について、３通り方法を詳細に示したが、本発明者が特許第６０５６１１２号で提案した方法と併用すれば、グラビア印刷版の両端部分のＲ部を版面の平滑状態と同等にする範囲は大幅に少なくすることができ、作業効率面、品質面において有利な方法となる。
【００５５】
バラード層をもうけるグラビア印刷版においては、バラード層を設ける前の銅メッキの段階でＲ部を平滑にしておけば、セルを設ける前のＲ部を平滑にする負荷は少なくなる。
【００５６】
表１に、これら３通りの方法及び一般的なペーパー、研磨剤、ヤスリを使用する方法について特徴をまとめる。
【表１】
2018126931.tif 000012
【００５７】
本発明のグラビア印刷方法は、版面と、前記版面のエッジから側面に伸びるＲ部の一部領域とに、表面の平滑状態が同じ銅メッキ層を有し、前記銅メッキ層上にクロムメッキ層を有するグラビア印刷版、もしくは、ドクター刃が接する前記版面のエッジからその側面に伸びるＲ部の一部領域の銅メッキ層を、前記版面の表面における平滑状態と同等に仕上げる製造方法により製造されたグラビア印刷版、又はグラビアシリンダーの両端からそれらの側面に至るＲ部に沿って、鉄、ステンレス、クロム等の金属製治具、又はセラミック製治具を移動させてＲ部の一部領域の銅メッキ層に塑性加工を施す製造方法により製造されたグラビア印刷版、又はダイアモンドバイトまたは超硬合金バイトを移動させてＲ部の一部領域の銅メッキ層に切削加工を施す製造方法により製造されたグラビア印刷版、又は砥石を移動させてＲ部の一部領域の銅メッキ層に砥石研磨を施す製造方法により製造されたグラビア印刷版で、Ｒ部の一部が版面の平滑状態と同等に仕上げられているグラビア印刷版でもって印刷することを特徴とする。
【００５８】
本発明のグラビア版を用いたグラビア印刷においては、種々の改善が図られたグラビア印刷方法とすることができる。
【００５９】
ドクター刃がグラビア印刷版の両端のＲ部で摩耗損傷がなくなることの利点として、（１）ドクター刃が激しい摩耗、カケ、損傷を受けることで、これにより発生したドクター粉やドクター片がインキへの混入を防止できる。（２）インキ中の異物であるドクター粉、ドクター片がなくなることで印刷不良であるドクター筋、筋汚れの発生を防止できる。また、インキ飛びも発生しない。（３）ドクター刃の監視作業を版面上のドクター刃に集中することができ、ドクター刃の使用寿命を的確に判断できる。（４）グラビア印刷版の両端のＲ部で摩耗損傷によるドクター刃交換作業が少なくなりドクター刃の使用枚数が削減できる。（５）グラビア印刷版のＲ部の摩耗が少なくなり、Ｒ部損傷による版寿命を早めることはない。（６）印刷不良であるドクター筋、筋汚れなどが巻き込まれた印刷物を後工程に送られないため、不良部除去や検査がなくなると共に、諸々の事務処理が軽減される。（７）印刷不良削除がなくなり製品の繋ぎヵ所が少なくなることでユーザーの評価が上がる。等々製品品質、作業効率、製品評価など全てにおいて改善良化を図ることができる。  
【００６０】
本発明のグラビア印刷版を使用しグラビア印刷を行う上での注意点を記載する。グラビア印刷を行っていると、ドクター刃は版面に設けられた絵柄部において摩耗し、特にベタ柄（特色版や白抑え版）において摩耗を激しくなる。ドクターの刃先は摩耗し１ｍｍ程度の差ができる。この差を補うためドクターの加圧を強くするが、絵柄のある版面においては、印刷を始めた時点の絵柄部へのドクター刃の加圧状態を変えないために対処する方法である。しかし絵柄のない版面及びＲ部に対しては、ドクター刃の摩耗がないためにドクターの加圧は強くなっている。絵柄のない版面においては、ドクター刃先の湾曲が強くなるが、本発明のグラビア印刷版においては平滑なＲ部とドクターの接触する幅が広くなっていく。従って、版面エッジからＲ部に設ける平滑なＲ部は少し余裕を持たせた幅にするのがよい。
【発明の効果】
【００６１】
グラビア印刷版の両端部分のＲ部を版面の平滑性と同等にすることで、ドクター刃は該部分での摩耗、カケ、損傷を防止できるため、ドクター刃の使用寿命を延ばし、また、摩耗、カケ、損傷によるインキ中へのドクター刃に起因する異物の混入を無くし印刷品質（筋汚れ、ドクター筋、ドクター刃のカケによるＲ部よりのインキ飛びなど）を向上することができる。
【図面の簡単な説明】
【００６２】
【図１】グラビア印刷版及びドクター刃の図
【図２】グラビア印刷版のＲ部が半径１０ｍｍの拡大断面図
【図３】グラビア印刷版端部の平滑なＲ部とドクター刃の概念拡大図
【図４】グラビア印刷版端部の荒れたＲ部とドクター刃の概念拡大図
【図５】本発明のグラビア印刷版端部のＲ部とドクター刃の概念拡大図
【図６】本発明のグラビア印刷版端部のＲ部とドクター刃の別な概念拡大図
【図７】Ｒ部にドクター刃の加圧力を弱め接触する状態の概念拡大図
【図８】実施例２のＲ部周辺の図
【発明を実施するための形態】
【実施例１】
【００６３】
銅の塑性加工特性を利用し、版面エッジから４ｍｍまでのＲ部を版面と同等の平滑な状態まで手作業で仕上げ、更に布に研磨剤のピカールを塗布し研磨を行った後、８ミクロンのクロムメッキを行った後版面のバリ取りと同様にＲ部も８００番のペーパーを使い手作業でバリ取りを行いグラビア印刷版とした。こうして、墨、藍、紅、黄、セピア、白のグラビア印刷版を作製した。ここで使用したグラビア印刷版の版円周は６５０ｍｍであった。
【００６４】
次いで、上記作成の６版を使用しグラビア印刷を行い、Ｒ部に接するドクター刃の状態を観察した。インキは全てメーカーから納入されたろ過がされている新しいインキを使用した。
【００６５】
５０、０００ｍの印刷を行った時点で、ストライプ柄のセピア版とベタ柄の白版においては、絵柄部の刃先摩耗が見られた。（段付きドクター刃を使用したので、段付き部分の幅変化で判断した。）墨、藍、紅、黄はカラー絵柄の版でベタ部がなく刃先摩耗は、ほとんど見られなかった。グラビア印刷版のＲ部に接触しているドクター刃の部分は、絵柄のない版面に接触しているドクター刃の部分と異ならず、ドクター刃の揺動幅の部分についても確認できなかった。
【００６６】
１００、０００ｍの印刷を行った時点で、ストライプ柄のセピア版とベタ柄の白版においては、明らかに絵柄部と非絵柄部においてドクター刃の摩耗に差（１ｍｍ近い差）があったため、この２版のドクターについては、ドクター刃の交換を行った。この時点のおいても、墨、藍、紅、黄はカラー絵柄の版ではドクター刃先摩耗は、ほとんど見られなかった。この時点で、６色のグラビア印刷版のＲ部に接触しているドクター刃の部分は、絵柄のない版面に接触しているドクター刃の部分と異ならず、ドクター刃の揺動幅の部分についても確認できなかった。
【００６７】
更に５０，０００ｍｍの印刷を行い、１５０，０００ｍｍで刷了となったが、墨、藍、紅、黄はカラー絵柄の版に使用したドクター刃は、他の印刷に使用できる状態であった。
いずれのドクター刃もグラビア印刷版のＲ部に接触しているドクター刃の部分は、絵柄のない版面に接触しているドクター刃の部分と異ならず、ドクター刃の揺動幅の部分についても確認できなかった。
【００６８】
また、１５０，０００ｍの印刷において、ドクター筋、筋汚れ、インキ飛び、の印刷欠点発生は一度も発生しなかった。
【実施例２】
【００６９】
銅の塑性加工特性を利用し、版面エッジから１ｍｍまでのＲ部を版面と同等の平滑な状態まで手作業で仕上げ、更に布に研磨剤のピカールを塗布し研磨を行った後、８ミクロンのクロムメッキを行った後版面のバリ取りと同様にＲ部も８００番のペーパーを使い手作業でバリ取りを行いグラビア印刷版とした。こうして、墨、藍、紅、黄、セピア、白のグラビア印刷版を作製した。ここで使用したグラビア印刷版の版円周は６５０ｍｍであった。
【００７０】
次いで、上記作成の６版を使用しグラビア印刷を行い、Ｒ部に接するドクター刃の状態を観察した。ここで、ドクター刃は、特許第６０５６１１２号で提案した方法と併用しグラビア印刷版のＲ部への加圧力を弱くするよう厚刃の当て板を部分カットしたものを使用した。
【００７１】
図８にＲ部周辺の図を示す。グラビア印刷版（６）は版幅１１００ｍｍで、版面（２）幅は１０８０ｍｍ、Ｒ部（４）は１０ｍｍ半径、版側面（３）を使用、ニップ圧胴（１２）の幅は１０４０ｍｍ、ドクター刃（７）、厚刃当て板（１３）、ドクターホルダー（１４）は全て１２００ｍｍ幅の物を使用した。版面（２）部における厚刃当て板（１３）からドクター刃（７）の出代は５ｍｍ、Ｒ部（４）における厚刃当て板（１３）からドクター刃（７）の出代は２３ｍｍとした。ドクターホルダー（１４）から厚刃当て板（１３）の出代は厚刃当て板のカット部（１５）で２ｍｍとした。ドクター刃の揺動幅（８）は１０ｍｍとし白抜き両矢印で示した。厚刃当て板のカット部（１５）を細破線で示した。厚刃当て板のカット部の寸法は、１８ｍｍ×（７５ｍｍ・６５ｍｍ）の片台形であった。
【００７２】
次いで、上記作成の６版を使用しグラビア印刷を行い、Ｒ部に接するドクター刃の状態を観察した。インキは全てメーカーから納入された新しいインキを使用した。
【００７３】
５０、０００ｍの印刷を行った時点で、ストライプ柄のセピア版とベタ柄の白版においては、絵柄部の刃先摩耗が見られた。（段付きドクター刃を使用したので、段付き部分の幅変化で判断した。）墨、藍、紅、黄はカラー絵柄の版でベタ部がなく刃先摩耗は、ほとんど見られなかった。グラビア印刷版のＲ部に接触しているドクター刃の部分は、絵柄のない版面に接触しているドクター刃の部分と異ならず、ドクター刃の揺動幅の部分についても確認できなかった。
【００７４】
１００、０００ｍの印刷を行った時点で、ストライプ柄のセピア版とベタ柄の白版においては、明らかに絵柄部と非絵柄部においてドクター刃の摩耗に差（１ｍｍ近い差）があったため、この２版のドクターについては、ドクター刃の交換を行った。この時点のおいても、墨、藍、紅、黄はカラー絵柄の版ではドクター刃先摩耗は、ほとんど見られなかった。この時点で、６色のグラビア印刷版のＲ部に接触しているドクター刃の部分は、絵柄のない版面に接触しているドクター刃の部分と異ならず、ドクター刃の揺動幅の部分についても確認できなかった。
【００７５】
更に５０，０００ｍｍの印刷を行い、１５０，０００ｍｍで刷了となったが、墨、藍、紅、黄はカラー絵柄の版に使用したドクター刃は、他の印刷に使用できる状態であった。
いずれのドクター刃もグラビア印刷版のＲ部に接触しているドクター刃の部分は、絵柄のない版面に接触しているドクター刃の部分と異ならず、ドクター刃の揺動幅の部分についても確認できなかった。
【００７６】
実施例２においても、実施例１と全く同様の結果となった。
【００７７】
また、１５０，０００ｍの印刷において、ドクター筋、筋汚れ、インキ飛び、の印刷欠点発生は一度も発生しなかった。
【符号の説明】
【００７８】
１    シリンダーの芯部方向
２    版面
３    版側面
４    Ｒ部
４Ａ  平滑なＲ部
４Ｂ  荒れたＲ部
５    チャッキング穴
６    グラビア印刷版  
７    ドクター刃
８    ドクター刃の揺動幅
９    グラビア印刷版とドクター刃を離して図示（黒両矢印）
１０  （ドクター刃に）摩耗、カケ、損傷が生じた部分
１１  Ｒ部にドクター刃の加圧力を弱めて接触している状態
１２  ニップ圧胴
１３  厚刃当て板
１４  ドクターホルダー
１５  厚刃当て板の削除部分（細破線で示す部分）